(57)【特許請求の範囲】
【請求項１】
内部を覆うケース体を有し、このケース体内に移動可能に設けられると共にディスクを載置するシャーシ体を具備するディスク再生装置において、
上記ケース体に設けられた回動規制手段と、
上記シャーシ体に設けられ、上記ディスクに当接してこのディスクの搬送をガイドするガイド手段と、
上記シャーシ体に回動自在に設けられ、上記ガイド手段との間で付勢力を与えながら上記ディスクを挟持して駆動力を付与すると共に、上記シャーシ体が上記ディスクの引き抜きに伴って移動する場合には、上記回動規制手段での移動規制により上記ガイド手段との間における上記ディスクの挟持状態を解除する方向に回動されるローラ手段と、
を具備することを特徴とするディスク再生装置。
【請求項２】
前記ローラ手段は、
前記シャーシ体に対し回動軸を介して回動自在に取り付けられているローラレバーと、
上記回動軸から離間する上記ローラレバーの一端側に設けられ、前記ディスクに接触してこのディスクに駆動力を付与するローラ体と、
上記ローラレバーに取り付けられ、前記ガイド手段及び前記回動規制手段側に向かう付勢力を与える付勢手段と、
上記ローラレバーの一端側から前記回動規制手段側に突出して設けられて前記回動規制手段に当接する当接手段と、
を具備しており、前記シャーシ体が前記ディスクの引き抜きに伴って前記回動規制手段から見て上記回動軸側に移動した場合に、この移動に伴って前記回動規制手段に上記当接手段が当接することにより前記回動規制手段から上記ローラ体が離間する向きに回動されることを特徴とする請求項１記載のディスク再生装置。
【請求項３】
前記ローラ手段は、回動維持手段により前記シャーシ体の移動に伴う回動後の状態が維持されることを特徴とする請求項１又は２記載のディスク再生装置。
【請求項４】
前記ローラ手段には、前記ローラレバーの他端側に前記ディスクが挿入されている場合に、他のディスクが前記ケース体内部へ差し込まれるのを防止する防御手段を具備することを特徴とする請求項２又は３記載のディスク再生装置。
【発明の詳細な説明】
【０００１】
【発明の属する技術分野】
本発明は、ディスク再生装置に関する。
【０００２】
【従来の技術】
ＣＤ等のディスクを再生するディスク再生装置は、ディスクを本体内部に搬送させるためのディスク差込口が設けられているのが、特にカーオーディオを中心に一般的となっている。かかるディスク再生装置の中には、ディスクを搬送ローラとディスクガイドとの間に挟み込んで、搬送ローラの回転運動により、ディスクの搬送を行うスロットイン方式のディスク搬送機構を有するディスク再生装置がある。
【０００３】
このスロットイン方式のディスク再生装置では、ディスクを排出した際に、再び自動的にディスクのローディングを行えるようにする、いわゆるディスクリロード機能を備えたものがある。かかるリロード機能を具備するディスク再生装置においては、該リロード機能を有効にするために、ディスクの排出終了位置において、ディスクを搬送ローラとディスクガイドに挟むことが必要である。リロード機能動作時には搬送ローラの駆動により、再びディスクが本体内部に搬送される。
【０００４】
【発明が解決しようとする課題】
ところで、上述のディスク再生装置においては、ディスクが排出終了位置までローディングされると、リロードさせる場合を除いて使用者がディスクを取り出す必要がある。このディスク取り出しに際しては、使用者はディスクが搬送ローラとディスクガイドにより挟持されている側とは反対側のディスクの他端部又はディスクの中央部を把持し、ディスクの引き抜き動作を行う。
【０００５】
このディスク引き抜きの様子を図５に示す。ディスク１の引き抜きにおいては、不図示の本体内部からディスク１が離間する方向に、ディスク１を引き抜く。この場合に、使用者がディスク１を矢印X方向に引き抜く場合のみならず、ディスク１を図５中の二点鎖線で示すような所定の引き抜き角度α又はβを有した状態で引き抜く場合もある。特に、カーオーディオ等においては、インパネ部分において該カーオーディオが使用者から見て下方側に位置しているのが通常であり、引き抜き角度αを有した状態でディスク１が引き抜かれるケースが多い。
【０００６】
このように、引き抜き角度がディスク１に付与されると、搬送ローラ２がY方向に沈降し、それに伴って搬送ローラ２に連結されているバネ４が伸張する。バネ４が伸張すると、それに伴ってバネ力も増大するため、搬送ローラ２がディスク１に付与する押圧力も増大する。このため、ディスク１と搬送ローラ２及びディスクガイド３との間の摩擦力が増大し、ディスク１の引き抜きに際して、ディスク１に擦り傷がついてしまう虞が増大する、という問題が生じている。
【０００７】
ディスク１に擦り傷がついてしまうと、ディスク１からの光の反射角度が変化する等によりディスク１からの信号の読み取り性能が悪化し、ディスク再生装置で良好なディスク１の再生ができない。このため、使用者が引き抜き角度を有した状態でディスク１を引き抜いても、バネ４によって生じる摩擦力が小さく、ディスク１に擦り傷が生じないディスク再生装置が望まれている。
【０００８】
本発明は、上記の事情に基づきなされたもので、その目的とするところは、ディスクが排出された場合においてディスクを手で引き抜く場合でも、該ディスクに擦り傷を生じさせることなく良好にディスクの引き抜きを行えるディスク再生装置を提供することにある。
【０００９】
【課題を解決するための手段】
上述の目的を達成するため、本発明は、内部を覆うケース体を有し、このケース体内に移動可能に設けられると共にディスクを載置するシャーシ体を具備するディスク再生装置において、ケース体に設けられた回動規制手段と、シャーシ体に設けられ、ディスクに当接してこのディスクの搬送をガイドするガイド手段と、シャーシ体に回動自在に設けられ、ガイド手段との間で付勢力を与えながらディスクを挟持して駆動力を付与すると共に、シャーシ体がディスクの引き抜きに伴って移動する場合には、回動規制手段での移動規制によりガイド手段との間におけるディスクの挟持状態を解除する方向に回動されるローラ手段と、を具備するものである。
【００１０】
また、他の発明は、上述のディスク再生装置の発明に加えて更に、ローラ手段は、シャーシ体に対し回動軸を介して回動自在に取り付けられているローラレバーと、回動軸から離間するローラレバーの一端側に設けられ、ディスクに接触してこのディスクに駆動力を付与するローラ体と、ローラレバーに取り付けられ、ガイド手段及び回動規制手段側に向かう付勢力を与える付勢手段と、ローラレバーの一端側から回動規制手段側に突出して設けられて回動規制手段に当接する当接手段と、を具備しており、シャーシ体がディスクの引き抜きに伴って回動規制手段から見て回動軸側に移動した場合に、この移動に伴って回動規制手段に当接手段が当接することにより回動規制手段からローラ体が離間する向きに回動されることとしたものである。
【００１１】
さらに、他の発明は、上述のディスク再生装置の各発明に加えて更に、ローラ手段は、回動維持手段によりシャーシ体の移動に伴う回動後の状態が維持されることとしたものである。
【００１２】
また、他の発明は、上述のディスク再生装置の各発明に加えて更に、ローラ手段には、ローラレバーの他端側にディスクが挿入されている場合に、他のディスクがケース体内部へ差し込まれるのを防止する防御手段が具備されることとしたものである。
【００１３】
【発明の実施の形態】
以下、本発明の一実施の形態について、図１から図４に基づいて説明する。なお、以下の実施の形態において、特に断りが無い限り、上方（上側）とは、図１を除く各図における上方（上側）を指し、下方（下側）とは、図１を除く書く図における下方（下側）を指すものとする。
【００１４】
図１は、本発明のディスク再生装置１０の構成を示す平面図である。このディスク再生装置１０は、ＣＤ（Compact Disc）等のディスク１１を再生するものである。しかしながら、このディスク再生装置１０において、再生するディスク１１（記録媒体）はＣＤには限られず、例えばＤＶＤ（Digital Versatile Disc）等の他の記録媒体でも良い。
【００１５】
この図において、ディスク再生装置１０は、内部に設けられる各種部品及び挿入されたディスク１１を覆うケース体としてのアウターケース２０を有している。このアウターケース２０の内部には、シャーシ体としてのフローティングシャーシ２１が設けられている。フローティングシャーシ２１は、該アウターケース２０に対してディスク１１の挿入時に所定だけ沈み込むことにより、該アウターケース２０に対して弾性支持される。
【００１６】
このフローティングシャーシ２１には、クランパアーム２２が回動支点２３を介して回動自在に軸支されている。かかる回動支点２３に係止させるため、クランパアーム２２には、回動軸２４が互いに離間する向き（図１においては、夫々第１のスライダ３０及び第２のスライダ５０側）に向かって突出して設けられている。クランパアーム２２には、板バネ２５が取り付けられている。板バネ２５は、図１に示すように、クランパアーム２２が取り付けられている一端側と反対側の他端側が突出ピン２６となっていて、この突出ピン２６が第１のスライダ３０に形成された揺動溝３６を摺動する構成となっている。そして、この摺動により、クランパアーム２２は回動支点２３を中心として、図１の法線方向（図２における矢印Ｚ方向）に回動することを可能としている。
【００１７】
また、クランパアーム２２には、ディスク１１を不図示のターンテーブルに対して圧接させるためのクランパー２７が設けられている。このクランパー２７でのディスク１１の圧接により、ディスク１１がターンテーブル上に圧接した状態となる。そして、この圧接状態で該ターンテーブルが回転駆動すると、ディスク１１及びこのディスク１１を圧接しているクランパー２７が回転駆動され、該ディスク１１の再生が行える状態となる。
【００１８】
このクランパアーム２２には、揺動可能に光ピックアップ機構２８が取り付けられている。光ピックアップ機構２８は、その先端部分に光ピックアップ素子２９を有していて、該光ピックアップ素子２９がディスク１１上に照射され、このディスク１１からの反射光を受光することにより、ディスク１１に記載されている信号情報の再生が可能となる。
【００１９】
また、フローティングシャーシ２１には、第１のスライダ３０及び第２のスライダ５０が、このフローティングシャーシ２１に対して移動自在に支持されている。第１のスライダ３０は、図１に示すように、フローティングシャーシ２１に対して一方の側方側において立設して設けられている。この第１のスライダ３０には、アウターケース２０から突出するように形成された側面絞り部３１ａ，３１ｂがスライド自在とするスライド溝３２ａ，３２ｂが設けられている。スライド溝３２ａ，３２ｂは、図２に示すように、その長手方向がアウターケース２０（フローティングシャーシ２１）の底面と平行を為すように形成されている。
【００２０】
また、スライド溝３２ａ，３２ｂの一端側は、夫々開放して設けられていて、このスライド溝３２ａ，３２ｂに側面絞り部３１ａ，３１ｂが挿脱自在に設けられている。ここで、側面絞り部３１ａ，３１ｂのスライド溝３２ａ，３２ｂに対する挿脱についてであるが、側面絞り部３１ａ，３１ｂには、その先端側にアウターケース２０内方の第１のスライダ３０側に向かってピン状に突出したピン突出部３３ａ，３３ｂが設けられている。そして、このピン突出部３３ａ，３３ｂが、スライド溝３２ａ，３２ｂに挿通される。
【００２１】
なお、スライド溝３２ａ，３２ｂは、側面絞り部３１ａ，３１ｂの設けられている位置に対応して、第１のスライダ３０に２つ設けられている。そのうち１つであるスライド溝３２ａは、第１のスライダ３０の長手方向中途部に設けられていて、図２において上方側（フローティングシャーシ２１の底面と離間する側）に位置している。また、他の１つであるスライド溝３２ｂは、第１のスライダ３０のディスク差込口１２とは反対側のアウターケース２０の奥側に設けられていて、かつ図２においてフローティングシャーシ２１の底面側に位置している。
【００２２】
第１のスライダ３０には、スライド溝３２ａよりもディスク差込口１２側の部位に２本のガイド溝３４ａ，３４ｂが設けられている。ガイド溝３４ａ，３４ｂには、連結された一対の駆動体４０のガイドピン４１ａ，４１ｂが差し込まれる。この駆動体４０は、ガイドピン４１ａ，４１ｂの他に、一対のギヤ４２ａ，４２ｂ、及び一対のギヤ４２ａ，４２ｂを互いに噛合可能に軸支しているアーム４３を有している。このうち、一方のギヤ４２ａは、フローティングシャーシ２１の底面側に位置するものであり、ガイドピン４１ａがギヤ４２ａの回転軸（不図示）と同軸をなすように設けられている。
【００２３】
そして、このガイドピン４１ａがフローティングシャーシ２１の底面側に形成されたガイド溝３４ａに差し込まれる。なお、第１のスライダ３０の移動を可能とするために、ガイド溝３４ａは長孔状に形成されている。
【００２４】
また、他方のギヤ４２ｂは、フローティングシャーシ２１から離間して設けられていて、ディスク１１を搬入するとき、又は搬出するときは、後述するローラギヤ６４と噛み合う位置に設けられる。ここで、ガイドピン４１ｂは、アーム４３の中途部に設けられている。そして、このアーム４３が差し込まれるガイド溝３４ｂは、図２に示すようにディスク差込口１２側が低くなる段差を１つ有した長孔上に形成されている。それにより、第１のスライダ３０が移動した場合には、この第１のスライダ３０の移動に伴って、ギヤ４２ｂの高さ位置が変化するように設けられている。具体的には、ギヤ４２ｂが高い位置のときは、ローラギヤ６４に対してギヤ４２ｂの噛合が解かれるように構成されている。
【００２５】
また、第１のスライダ３０のうち、ガイド溝３４ａ，３４ｂよりもディスク差込口１２側には、回動維持手段としてのレバーガイド溝３５が設けられている。このレバーガイド溝３５は、後述するローラレバー６０のバネ係止ピン７１が掛け止めされるものである。そして、第１のスライダ３０がディスク差込口１２側に移動した場合に、当初レバーガイド溝３５のディスク差込口１２側である一端側に位置していたバネ係止ピン７１は、ローラレバー６０を回動させるためにレバーガイド溝３５の他端側に向かって相対的に移動する。
【００２６】
ここで、レバーガイド溝３５は、ディスク差込口１２側である一端側が、該第１のスライダ３０のうち高さ方向（フローティングシャーシ２１の法線方向）の略中途部に位置するように設けられている。そして、この一端側からは、レバーガイド溝３５は所定だけフローティングシャーシ２１の底面と略並行に形成され、ディスク１１を挿入する前のバネ係止ピン７１の初期状態を維持可能としている。
【００２７】
また、レバーガイド溝３５の一端側からこのレバーガイド溝３５に沿い、アウターケース２０側に進行すると、該レバーガイド溝３５は緩やかにフローティングシャーシ２１の底面側に向かう曲線を為して形成されている。そして、所定だけフローティングシャーシ２１の底面に近接した後に、レバーガイド溝３５はフローティングシャーシ２１の底面と略並行となるように形成されている。それによって、ディスク１１が挿入された後の、ローラレバー６０の閉じ状態を維持可能としている。
【００２８】
なお、この閉じ状態においては、防御ピン６１は略鉛直方向の上方を向くように設けられる。また、後述するように初期状態から閉じ状態まで移行する間のバネ係止ピン６１の移動は、完全にディスク１１を内部に搬送した場合には、レバーガイド溝３５により為される。しかしながら、ディスク１１を規定位置まで排出し、その後使用者が該ディスク１１を手で引き抜く場合には、回動規制部材６８に当接手段としての当接片６７が衝突することにより為される。しかし、この衝突による防御ピン６１の移動は、相対的に小さなものである。
【００２９】
さらに、第１のスライダ３０のうち、ディスク差込口１２から離間するアウターケース２０の奥側には、揺動溝３６が設けられている。この揺動溝３６は、一端側が第１のスライダ３０のうち、上方側に位置するように形成されている。しかしながら、この一端側から他端側に向かう場合、フローティングシャーシ２１の底面に近接するように、下方に向かうように曲線を描いて形成され、所定位置からはフローティングシャーシ２１の底面と略平行をなす状態となって他端側にたどり着く。この揺動溝３６に突出ピン２６が位置することで、第１のスライダ３０の移動に伴って、クランパアーム２２が揺動することを可能としている。
【００３０】
なお、クランパー２７がディスク１１を圧接する場合に、この圧接状態を保持可能とするように、揺動溝３６のフローティングシャーシ２１から離間する上端側は、逆Ｖ字状に形成されている。
【００３１】
また、図３に示すように、第１のスライダ３０が設けられている側とは対向するアウターケース２０の内壁面側には、該第１のスライダ３０に対応して、第２のスライダ５０が設けられている。第２のスライダ５０も、フローティングシャーシ２１に移動自在に設けられていて、その移動は第１のスライダ３０に追従するものである。そのため、第２のスライダ５０、及びこの第２のスライダ５０と対向するアウターケース２０の内壁面は、上述の第１のスライダ３０側に対応した略同様の構成を有している。
【００３２】
すなわち、アウターケース２０は、側面絞り部３１ａ，３１ｂに対応した側面絞り部５１ａ，５１ｂを有しており、また第２のスライダ５０は、第１のスライダ３０におけるスライド溝３２ａ，３２ｂに対応したスライド溝５２ａ，５２ｂを有している。なお、スライド溝５２ｂは、上述のスライド溝３２ｂとは異なり、フローティングシャーシ２１の底面側から離間した上方側に設けられている。また、側面絞り部５１ｂも、スライド溝５１ｂに対応して、フローティングシャーシ２１の底面から離間する上方側に設けられている。
【００３３】
また、上述のレバーガイド溝３５に対応して、第２のスライダ５０にも、レバーガイド溝５３が設けられている。このレバーガイド溝５３にも、バネ係止ピン６１が掛け止めされている。そして、第２のスライダ５０がディスク差込口１２側に移動した場合に、当初レバーガイド溝３５のディスク差込口１２側である一端側に位置していたバネ係止ピン７１は、ローラレバー６０を回動させるためにレバーガイド溝３５の他端側に向かって相対的に移動する。
【００３４】
なお、これらスライド溝５２ａ，５２ｂ、レバーガイド溝５３等は、第１のスライダ３０に形成されているスライド溝３２ａ，３２ｂ、レバーガイド溝３５等と、その形状や長さが異なるように形成されている。しかしながら、全く同様の形状としても良い。
【００３５】
ここで、フローティングシャーシ２１には、回動軸７２を介して、ローラレバー６０が回動自在に取り付けられている。このローラレバー６０には、図１から図４に示すように、ディスク差込口１２側に向かい突出した防御ピン６１が、ディスク差込口１２のフローティングシャーシ２１の底面から離間する上方に向かって突出形成されている。この防御ピン６１により、既にディスク１１が挿入されている場合において、再度のディスク１１の挿入が防止される。
【００３６】
また、ローラレバー６０には、その側方側（ローラシャフト６３の両端側）に側方支持部材６２が一対設けられている。この側方支持部材６２により、ローラシャフト６３は回転自在に支持されている。ここで、側方支持部材６２に支持されるローラシャフト６３は、ローラレバー６０のうち、第１のスライダ３０及び第２のスライダ５０に近接する側に取り付けられている。すなわち、回動軸７２を挟んで、ディスク差込口１２側に防御ピン６１が設けられていて、この防御ピン６１とは逆の、アウターケース２０の奥側にローラシャフト６３が設けられている構成である。
【００３７】
さらに、ローラシャフト６３の第１のスライダ３０側には、ローラギヤ６４がローラシャフト６３の回転と同期するように取り付けられている。このローラギヤ６４は、側方支持部材６２と第１のスライダ３０の間の位置に設けられている。そして、このローラギヤ６４が、上述のギヤ４２ａ，４２ｂと噛み合うことにより、ローラシャフト６３に対して回転駆動力が与えられる構成である。
【００３８】
ローラシャフト６３には、ローラカバー６５がその外周を覆うように取り付けられている。このローラカバー６５は、例えばゴムや樹脂等のように、ディスク１１の裏面に接触しても損傷を生じさせない柔らかめの材質であって、ディスク１１の裏面に当接した場合に摩擦力を良好に与える材質から構成されている。それにより、これらローラシャフト６３とローラカバー６５とで、ローラ体としての搬送ローラ６６を構成している。
【００３９】
ここで、図４に示すように、側方支持部材６２には、フローティングシャーシ２１から離間する上方側に向かって当接片６７が突出形成されている。また、当接片６７に対応して、アウターケース２０には、該当接片６７に衝突する回動規制手段としての回動規制部材６８が形成されている。回動規制部材６８は、アウターケース２０の上面側から底面に向かうように、Ｌ字状に折り曲げられて形成されている。
【００４０】
また、フローティングシャーシ２１のうち、回動軸７２よりもディスク差込口１２側には、バネ係止部６９が設けられている。このバネ係止部６９は、図１、図２及び図４に示すように、付勢手段としてのバネ７０の一端側を掛け止めするためのものである。このバネ係止部６９に一端側が掛け止めされたバネ７０は、他端側がバネ係止ピン７１に掛け止めされる。それにより、ローラレバー６０は、バネ７０から引張り力を受け、この引張り力に抗する状態でレバーガイド溝３５をバネ係止ピン７１は擦り動く。
【００４１】
また、フローティングシャーシ２１には、ディスク差込口１２側にガイド手段としてのディスクガイド７３が設けられている。ディスクガイド７３は、ディスク１１の上面側に接触するものである。このディスクガイド７３は、なだらかな傾斜を有して形成されていて、その頂部がディスク１１と接触する接触面（不図示）となっている。それにより、ディスク１１の上面側に良好に接触することを可能としている。
【００４２】
なお、ディスクガイド７３のフローティングシャーシ２１に対する取付位置は、該ディスク１１を良好に搬送できる位置であれば、ディスク１１の上面側においてどのような位置・配置で取り付けられていても構わない。なお、通常は、第１のスライダ３０又は第２のスライダ５０の少なくとも一方に近接した部位に、フローティングシャーシ２１からディスク１１の搬送と干渉しない状態でディスクガイド７２が取り付けられている。
【００４３】
ここで、これらローラレバー６０、防御ピン６１、側方支持部材６２、ローラシャフト６３及びローラカバー６５からなる搬送ローラ６６、後述する当接片６７、バネ７０、バネ係止ピン７１、回動軸７２により、ローラ手段が構成されている。
【００４４】
このディスクガイド７３は、フローティングシャーシ２１に取り付けられているため、該フローティングシャーシ２１に対する高さ位置は、全く変わらない状態で設けられている。また、ディスク１１が挿入された場合には、該ディスクガイド７３が搬送ローラ６６と共にディスク１１を挟み込む。そして、搬送ローラ６６が駆動することにより、該ディスク１１を搬送する構成となる。この場合、搬送ローラ６６はローラレバー６０に取り付けられているので、このローラレバー６０が回動することにより、ディスク１１の厚みに対応した搬送が可能となる。
【００４５】
なお、第２のスライダ５０側にも、ローラレバー６０の防御ピン６１が設けられている一端側とは反対側の他端側に、バネ８０を係止するバネ係止部８１が設けられている。バネ８０は、その一端側がバネ係止部８１に係止されているが、他端側は第２のスライダ５０のうち、レバーガイド溝５３よりもディスク差込口１２側に設けられたバネ受け部８２に係止される。それにより、バネ８０は、図３（ｂ）の状態から図３（ａ）の状態に移行する場合に、該ローラレバー６０側に付勢力を及ぼす構成となっている。
【００４６】
以上のような構成を有するディスク再生装置１０の作用について、以下に説明する。
【００４７】
図２（ａ）及び図３（ａ）に示すような、ディスク１１の挿入状態から、使用者がイジェクトボタンを押す等の操作により、ディスク１１の排出動作が開始される。この排出動作においては、搬送ローラ６６が図２（ａ）において反時計回りに回転する。それにより、ディスク１１は不図示の駆動モータが駆動を停止する規定位置まで排出される。この規定位置では、ディスク１１は搬送ローラ６６とディスクガイド７３により挟持された状態となっている。
【００４８】
次に、使用者がディスク１１の排出側端部を把持し、該ディスク１１を引き抜く。この様子を、図４に従って説明する。まず、ディスク１１の引き抜きをまだ開始していない状態は、図４（ａ）に示す通りである。このとき、第１のスライダ３０及び第２のスライダ５０は、規定位置にある。そして、ディスク１１は、未だディスクガイド７３と搬送ローラ６６との間で挟持された状態である。
【００４９】
続いて、使用者がディスク１１を引き抜く。このとき、図４（ｂ）に示すように、引き抜き動作に伴って、フローティングシャーシ２１が距離ｐだけ移動する。この距離ｐの移動により、回動軸７２も同じ距離ｐだけ移動する。同じく、当接片６７も、フローティングシャーシ２１の移動に伴って移動しようとする。しかしながら、当接片６７は、回動規制部材６８に当接した状態のため、その移動が規制されて、これ以上フローティングシャーシ２１に沿って移動することはできない。そのため、当接片６７の当接した状態でのフローティングシャーシ２１の移動により、ローラレバー６０は、回動軸７２を支点として回動する。
【００５０】
この回動により、搬送ローラ６６は、図４（ａ）の状態から矢印Ｗ方向に回転を行い、図４（ｂ）に示すように、搬送ローラ６６がディスク１１から距離ｑだけ離間して、該ディスク１１と非接触の状態となる。それにより、ディスク１１は、ディスクガイド７３と搬送ローラ６６によって挟持された状態から開放される。そして、この状態でディスク１１を引き抜けば、使用者はスムーズにディスク１１を引き抜くことが可能となる。
【００５１】
すなわち、搬送ローラ６６の回動により、該搬送ローラ６６とディスクガイド７３との間で及ぼしている付勢力がなくなるか、大幅に軽減される。そのため、ディスク１１の引き抜きの際の摩擦力が小さくなり、該ディスク１１の引き抜きがスムーズに行える。
【００５２】
このような構成のディスク再生装置１０によれば、ディスク１１の引き抜き動作に伴ってフローティングシャーシ２１が移動し、同時に搬送ローラ６６が回動してディスクガイド７３と搬送ローラ６６の間で及ぼしていた付勢力を軽減・無くして摩擦力を小さくする構成のため、従来ディスク１１に生じていた擦り傷の発生を防止することができる。
【００５３】
特に、自動車のインパネに取り付けられているディスク再生装置１０においては、使用者はディスク１１を角度が所定だけついた状態で引き抜くことが多いが、かかる角度がついた状態でディスク１１を引き抜いても、該ディスク１１に生じている摩擦力が小さいため、スムーズにディスク１１を引き抜くことができる。
【００５４】
それにより、ディスク再生装置１０によるディスク１１の読み取り性能を向上させることが可能となり、また該ディスク１１の寿命を長時間保つことができる。
【００５５】
また、使用者にとっては、上述の構成の採用により、従来よりもスムーズにディスク１１を引き抜くことができるので、ディスク再生装置１０としての操作感の向上を図ることができる。さらに、上述のディスク１１の損傷の防止機能は、当接片６７と回動規制部材６８を設けることにより実現される。このため、安価にディスク１１の損傷防止機能を実現可能となる。
【００５６】
さらに、付随的な部分として、防御ピン６１が設けられていることにより、
既にディスク１１が挿入されている状態において、再度のディスク１１の挿入を防止することが可能となる。また、ローラレバー６０は、ディスク１１が挿入された状態において、レバーガイド溝３５のアウターケース２０奥側の他端側で係止状態を維持することが可能となる。
【００５７】
以上、本発明の一実施の形態について説明したが、本発明はこれ以外にも種種変形可能である。例えば、上述の実施の形態では、ディスクをＣＤ等の円盤状のディスクとして説明しているが、例えばＭＤ等のカートリッジに収納されるディスクに本発明を適用しても良い。
【００５８】
また、本発明は、ディスク１１の手による引き抜きの際に搬送ローラ６６が回動してディスク１１の圧接状態を解除できる構成をその要旨とするものであり、かかる機能を具備する限りにおいて、種々形状変更等を行うことは勿論可能である。
【００５９】
さらに、防御ピン６１の代わりに、防御壁をローラレバー６０に取り付ける等しても構わない。
【００６０】
【発明の効果】
本発明によれば、ディスクと搬送ローラ及びディスクガイドとの間の摩擦力を減少させることができ、それによって手によるディスクの引き抜きに際して、ディスクに擦り傷が生じるのを防止することが可能となる。それにより、ディスクからの信号の読み取り性能を良好な状態で維持可能となり、良好なディスクの再生を行える。
【図面の簡単な説明】
【図１】本発明の一実施の形態に係るディスク再生装置の構成を示す平面図である。
【図２】図１のディスク再生装置において、アウターケース内部の第１のスライダ付近の構成を示す側面図であり、（ａ）はディスクが挿入されている状態を示す図であり、（ｂ）はディスクが規定位置まで排出された状態を示す図である。
【図３】図１のディスク再生装置において、アウターケース内部の第２のスライダ付近の構成を示す側面図であり、（ａ）はディスクが挿入されている状態を示す図であり、（ｂ）はディスクが規定位置まで排出された状態を示す図である。
【図４】図１のディスク再生装置において、ディスクを手で引き抜く様子を示す図であり、（ａ）はディスクを引き抜く前のフローティングシャーシの位置を示す図であり、（ｂ）はディスクを引き抜くときのフローティングシャーシの位置を示す図である。
【図５】従来のディスク再生装置において、ディスクガイドと搬送ローラに挟持されるディスクを手で引き抜く様子を示す図である。
【符号の説明】
１０…ディスク再生装置
１１…ディスク
１２…ディスク差込口
２０…アウターケース（ケース体）
２１…フローティングシャーシ（シャーシ体）
２２…クランパアーム
３０…第１のスライダ
３５…レバーガイド溝（回動維持手段）
５０…第２のスライダ
６０…ローラレバー（ローラ手段の一部）
６１…防御ピン（ローラ手段の一部）
６２…側方支持部材（ローラ手段の一部）
６３…ローラシャフト（ローラ手段の一部）
６５…ローラカバー（ローラ手段の一部）
６６…搬送ローラ（ローラ体、ローラ手段の一部）
６７…当接片（当接手段、ローラ手段の一部）
６８…回動規制部材（回動規制手段）
７０，８０…バネ（付勢手段、ローラ手段の一部）
７２…回動軸（ローラ手段の一部）
７３…ディスクガイド（ガイド手段）
【図１】
0003713226.tif 000002
【図２】
0003713226.tif 000003
【図３】
0003713226.tif 000004
【図４】
0003713226.tif 000005
【図５】
0003713226.tif 000006